(57)【要約】      （修正有）【課題】運送過程で、花の新鮮さを保つことができる管体を提供する。【解決手段】花の新鮮さを保つことができる管体は、軟質変形可能な貯水部１１及び挿入設置部１２を設ける本体１を含み、且つ本体内に貯水部及び挿入設置部に連通する蓄水室１３を設け、これにより、花が挿入設置部に挿入され、挿入設置部と密接な状態を呈し、従って、花が蓄水室内の水分を吸収することで貯水部を変形させ、水分を押し出し、蓄水室を充填し、花に吸収させ、花に対し、効率的に水を保存させる効果を提供する。【選択図】図５
0003181605.tif 000002
【実用新案登録請求の範囲】
【請求項１】
軟質変形可能な貯水部及び挿入設置部を設ける本体を含み、且つ本体内に貯水部及び挿入設置部に連通する蓄水室を設け、
これにより、花が挿入設置部に挿入され、挿入設置部と密接な状態を呈し、従って、花が蓄水室内の水分を吸収することで貯水部を変形させ、水分を押し出し、蓄水室を充填し、花に吸収させ、花に対し、効率的に水を保存させる効果を提供する花の新鮮さを保つことができる管体。
【請求項２】
該貯水部末端は、円弧状である請求項１に記載の花の新鮮さを保つことができる管体。
【請求項３】
前記挿入設置部外周に複数の滑り止め凸部を環設する請求項１に記載の花の新鮮さを保つことができる管体。
【考案の詳細な説明】
【技術分野】
【０００１】
本考案は、花の新鮮さを保つことができる管体であり、特に、花の新鮮度を保持する変形可能な花の新鮮さを保つことができる管体に関する。
【背景技術】
【０００２】
花は、国内販売又は国外販売に関わらず、その運送プロセスが複雑で多く、且つ途中に多くの細節に特に注意が必要である。１つの生産区域から花を花屋又は他の区域への運送で、中間に鮮度パッケージ、包装及び温度管理等の技術的な面に関し、運送過程で如何に花にその鮮を保持させるかは、関連業者が重視する問題である。
【０００３】
水分は、花に不可欠な重要元素の１つであり、強烈な日照及び深刻な水不足は、何れも花を劣化させることができる。従って、国内販売又は国外販売に関わらず、花の運送の過程において、花を水中に挿し、その新鮮度を維持する必要がある。また、花を運送する時、各種要因、例えば、路面の激しい起伏、人力による運搬等により中に載置する花を知らない間に相互に衝突させ、傷つける可能性があるので、業者は、通常花を梱包して運送し、花の末端に水を汲んだ花鮮度保存管を取り付け、花に十分な水を提供し、花が運送で損耗するリスクを低減している。
【０００４】
花の末端は、水面に配置して初めて安定した水分吸収を行うことができるが、花の運送の過程において、直立、横倒し又は斜め置きの方式で配列載置される可能がある。花を横倒しに置くことを例とし、花の鮮度保存管の水量がその容積と同一である時、花は、安定して鮮度保存管内の水分を吸収することができる。しかしながら、花が吸収する水分が多くなるほど、その水平面は、徐々に下降し、花の置き方が横倒しの状態であることによってその水平面が傾斜状態になる時、水分の量が過度に少ない場合に、花の末端が完全に水中に浸ることができなくなり、又は、外力の震動により、水の平面が花の末端を振動させ、水中に浸ったり、空気中に露出されたりし、花の安定した水分の吸収に影響を及ぼし、酷くは、水分を吸収することができず、運送過程で花の新鮮度を下降させる。
【０００５】
従って、本考案者は、関連製品の研究及び開発に長年を費やし、多数回の実験及び試験を経て、花を水量の下降に伴って依然として管内の水分を適切に吸収可能な『花の新鮮さを保つことができる管体』を考案している。
【先行技術文献】
【特許文献】
【０００６】
【特許文献１】特許公表２００７−５２６０７４号公報
【考案の概要】
【考案が解決しようとする課題】
【０００７】
本考案の目的は、花を任意に安置した状態で何れも花の吸収水量を保持し、花の鮮度を維持することができるようにすることである。
【課題を解決するための手段】
【０００８】
前記考案の目的及び効果を達成する為、本考案の花の新鮮さを保つことができる管体は、
軟質変形可能な貯水部及び挿入設置部を設ける本体を含み、且つ本体内に貯水部及び挿入設置部に連通する蓄水室を設け、
これにより、花が挿入設置部に挿入され、挿入設置部と密接な状態を呈し、従って、花が蓄水室内の水分を吸収することで貯水部を変形させ、水分を押し出し、蓄水室を充填し、花に吸収させ、花に対し、効率的に水を保存させる効果を提供する。
【０００９】
本考案の該貯水部末端は、円弧状を呈し、該挿入設置部外周に複数の滑り止め凸部を環設する。
【考案の効果】
【００１０】
本考案の花の新鮮さを保つことができる管体は、花を任意に安置した状態で何れも花の吸収水量を保持し、花の鮮度を維持する。
【図面の簡単な説明】
【００１１】
【図１】本考案の本体の立体図である。
【図２】本考案の本体の断面図である。
【図３】本考案の花の水分吸収状態の立体図である。
【図４】本考案の花の水分吸収状態の立体図である。
【図５】本考案の花の水分吸収状態の断面図である。
【図６】本考案の花の水分吸収状態の断面図である。
【図７】使用者が滑り止め凸部を掴持し、花の挿入を準備する説明図である。
【考案を実施するための形態】
【００１２】
本考案が上記目的及び効果を達成する為に採用する技術手段及び構造について、本考案の実施例を挙げ、その特徴及び効果を以下に詳細に説明する。
【００１３】
図１〜図５を参照し、本考案の花の新鮮さを保つことができる管体は、本体１を含み、該本体１は、軟質で変形可能な貯水部１１及び挿入設置部１２を設け、且つ本体１内に貯水部１１及び挿入設置部１２を連通する蓄水室１３を設け、
これにより、花が挿入設置部１２に挿入され、挿入設置部１２と密接な状態を呈し、従って、花が蓄水室内１３内の水分を吸収することで貯水部１１を変形させ、水分を押し出し、蓄水室１３を充填し、花に吸収させ、花に対し、効率的に水を保存させる効果を提供する（前記は、本考案の主な実施例の主な技術特徴は、本考案の特許請求の範囲第１項の内容に対応し、本考案の目的及び実施形態を詳細に知ることができ、その残りの従属項の技術特徴は、専利請求の範囲第１項の内容の詳細又は付加技術特徴であり、特許請求の範囲第１項の定義範囲を制限することに用いるものではなく、本願の特許請求の範囲第１項は、その従属項に記載する技術特徴を必ずしも含まなければならないものではない）。
【００１４】
上記構造の特徴にとり本考案は、以下の利点を有することができ、図５、図６に示すように、花が徐々に水分を吸収する時（実心矢印が水分流動方向である）、蓄水室１３内の圧力が外部の大気圧力より徐々に小さくなり、花に水分を吸収させた状態において、貯水部１１が変形可能な材質の特性であることにとり、跳水部１１の管壁に大気圧力の押圧を受けさせ、蓄水室１３を押しつぶし変形させ（空心矢印が貯水部11の変形方向である）、このように、蓄水室１３の容積は、花の吸収水分に伴って、貯水部１１の壁面により押され、徐々に小さくなり、水分が蓄水室１３全体を充満することができる。従って、花が横倒し、斜め置きの何れの状態であるかに関わらず、該蓄水室１３内の水分は、花の末端を覆うことができ、花に随時水分吸収可能な状態を提供し、花の生命を維持する。
【００１５】
また、本考案の該貯水部１１末端は、円弧状であり、円弧状は、圧縮変形に有利であり、変形過程において、蓄水室１３を完全に圧縮することができ、好適な押し引きの効果を達成する（但し、貯水部１１末端が方形状及び錐形状等のその他の形状であっても、蓄水室１３を圧縮する効果を達成することは可能であり、その差異点は、ただ圧縮程度にあるので、本考案は、該貯水部１１末端の形態を制限するものではない）。
【００１６】
また、図７に示すように、花は、水分を吸収し、鮮度を保持するので、操作者の動作環境が水に接触し易く、本体１外周に容易に水滴を付着させ、これにより使用者が滑り止め凸部１４上を掴持することによって、本体１が手部から滑り抜けることを防止することができ、安定した操作により花を挿入することができる。
【００１７】
以上の実施例による本考案の詳細な説明は本考案の範囲を制限するものではない。本技術に熟知する者が、本考案の範囲内にて行う変更や調整を行っても、本考案の重要な意義は失われず、本考案の範囲に含まれる。
【符号の説明】
【００１８】
１  本体
１１  貯水部
１２  挿入設置部
１３  蓄水室
１４  滑り止め凸部
【図１】
0003181605.tif 000003
【図２】
0003181605.tif 000004
【図３】
0003181605.tif 000005
【図４】
0003181605.tif 000006
【図５】
0003181605.tif 000007
【図６】
0003181605.tif 000008
【図７】
0003181605.tif 000009